(57)【要約】【課題】チューニングが不要でシール機能の向上と嵌合外れの防止との両立を可能にした封止構造を提供すること。【解決手段】携帯機は、被圧壁としてのロアケース３及び押圧壁としてのアッパケース２によって挟まれて、ロアケース３とアッパケース２に反力を加えるゴムパッキンを備えている。ゴムパッキンのシール部１５がロアケース３及びアッパケース２によって挟まれて、ロアケース３とアッパケース２に反力を加える。ロアケース３とシール部１５が当接する面が防水面Ｗである。アッパケース２は、防水面Ｗにおいて直交する軸Ｊに対して交差する方向に力をシール部１５に加える部位としての第１の傾斜面１６及び第２の傾斜面１７を有している。第１の傾斜面１６及び第２の傾斜面１７は、軸Ｊを挟んで対称となる位置に設けられるとともに、軸Ｊに向かう方向に力を加える。【選択図】図２
2019071223.tif 000002
【特許請求の範囲】
【請求項１】
被圧壁と押圧壁を有し、
前記被圧壁及び前記押圧壁によって挟まれて、前記被圧壁と前記押圧壁に反力を加えるシール部材を備え、
前記押圧壁に、前記被圧壁と前記シール部材が当接する面において直交する軸に対して交差する方向に力を前記シール部材に加える少なくとも２つの部位を有する
ことを特徴とする封止構造。
【請求項２】
前記部位は、前記軸を挟んで対称となる位置に設けられる
ことを特徴とする請求項１に記載の封止構造。
【請求項３】
前記部位は、前記軸に向かう方向に力を加える
ことを特徴とする請求項１又は２に記載の封止構造。
【請求項４】
前記軸は、前記シール部材の断面において、中心近傍を通る
ことを特徴とする請求項１〜３のいずれか一項に記載の封止構造。
【発明の詳細な説明】
【技術分野】
【０００１】
本発明は、封止構造に関する。
【背景技術】
【０００２】
従来、アッパケースとロアケースとが嵌合されてなる筐体内に電子部品が収容されている携帯機は、車両キーとして所持され、操作ボタンの操作に基づいて、ドアの解錠等の車両動作を指示する遠隔操作信号を送信する。すなわち、筐体内には、操作ボタンの操作を受けて電気信号を出力するスイッチの他、通信制御を含む各種制御を実行するマイコン、マイコンによる制御のもと通信動作を実行する通信部品、マイコン等に電力を供給するボタン電池が収容されている。そして、携帯機は、アッパケースとロアケースとがスナップフィット構造により嵌合され、その嵌合を外すことにより電池交換が可能になる。
【０００３】
また、携帯機は防水機能を有している。すなわち、アッパケースとロアケースとの間には、ゴムパッキンが介在され、このゴムパッキンを弾性的に潰す接圧により防水機能を満足させている。尚、特許文献１〜４には、防水機能を有する携帯機が開示されている。
【先行技術文献】
【特許文献】
【０００４】
【特許文献１】特開２００８−２２３３７６号公報
【特許文献２】特開２００９−２８９６３９号公報
【特許文献３】特開平８−３３１６７３号公報
【特許文献４】実開平６−６００２７号公報
【発明の概要】
【発明が解決しようとする課題】
【０００５】
ゴムパッキンの弾性力に抗して接圧を加えると、ゴムパッキンに反力が生じ、その反力がアッパケース及びロアケースに加わる。ゴムパッキンからロアケースへの反力が、防水機能に関わる防水面の接圧方向の反力であり、ゴムパッキンからアッパケースへの反力が、アッパケースとロアケースとの嵌合が外れる方向であるケース嵌合外れ方向の反力である。
【０００６】
防水面の接圧方向とケース嵌合外れ方向のベクトルの向きが同一の場合、トレードオフの関係により、防水機能を上げると、ケース嵌合外れに対して不利となり、経年にてケースの嵌合が外れる懸念がある。この場合、携帯機を作製した上で、双方を満足させるために、各部品のチューニングを実施する必要がある。
【０００７】
本発明は、このような問題点に着目してなされたものであって、その目的は、チューニングが不要でシール機能の向上と嵌合外れの防止との両立を可能にした封止構造を提供することにある。
【課題を解決するための手段】
【０００８】
上記課題を解決する封止構造は、被圧壁と押圧壁を有し、前記被圧壁及び前記押圧壁によって挟まれて、前記被圧壁と前記押圧壁に反力を加えるシール部材を備え、前記押圧壁に、前記被圧壁と前記シール部材が当接する面において直交する軸に対して交差する方向に力を前記シール部材に加える少なくとも２つの部位を有する。
【０００９】
この構成によれば、被圧壁とシール部材が当接する面において直交する軸に沿った方向と、押圧壁とシール部材が当接する面において直交する方向が異なる。このため、シール部材から被圧壁への反力（シール機能に関わる反力）と、シール部材から押圧壁への反力（嵌合外れに関わる反力）の大きさを、上記軸に沿った方向で比較すると、押圧壁への反力の方向が上記軸に対して交差している分だけ、押圧壁への反力が小さくなる。つまり、嵌合外れを防止するにあたり、シール機能を下げる必要はなく、また、双方を満足させるためのチューニングの必要もない。したがって、チューニングが不要でシール機能の向上と嵌合外れの防止とを両立できる。
【００１０】
上記封止構造について、前記部位は、前記軸を挟んで対称となる位置に設けられることとしてもよい。
この構成によれば、押圧壁の各部位からシール部材に力が均等に加わることに伴い、シール部材から各部位への反力が均等になる。これにより、いずれかの部位に嵌合外れに関わる反力が偏ることを回避できる。
【００１１】
上記封止構造について、前記部位は、前記軸に向かう方向に力を加えることとしてもよい。
この構成によれば、押圧壁の各部位からシール部材に加わる力を、シール機能に関わるシール部材から被圧壁への反力として効率良く利用できる。
【００１２】
上記封止構造について、前記軸は、前記シール部材の断面において、中心近傍を通ることとしてもよい。
この構成によれば、シール部材による封止性（シール機能）を好適に得ることができる。
【発明の効果】
【００１３】
本発明によれば、チューニングが不要でシール機能の向上と嵌合外れの防止とを両立できる。
【図面の簡単な説明】
【００１４】
【図１】本例の携帯機を示す断面図。
【図２】防水面の接圧方向の反力とケース嵌合外れ方向の反力とを示す図。
【図３】比較例の携帯機を示す断面図。
【図４】防水面の接圧方向の反力とケース嵌合外れ方向の反力とを示す図。
【発明を実施するための形態】
【００１５】
以下、封止構造を備える携帯機の一実施の形態について説明する。本例の携帯機は車両キーとして所持され、操作ボタンの操作に基づいて、ドアの解錠等の車両動作を指示する遠隔操作信号を送信する。
【００１６】
図１に示すように、携帯機１は、アッパケース２とロアケース３とが嵌合されてなる筐体４内に電子部品が収容されている。すなわち、筐体４内には、操作ボタン５の操作を受けて電気信号を出力するスイッチ６の他、通信制御を含む各種制御を実行するマイコン（図示略）、マイコンによる制御のもと通信動作を実行する通信部品（図示略）、マイコン等に電力を供給するボタン電池７が収容されている。スイッチ６等の電子部品は電池ターミナル８と共にプリント基板９に実装され、基板アセンブリ１０として収容されている。そして、携帯機１は、アッパケース２とロアケース３とがスナップフィット構造により嵌合され、その嵌合を外すことにより電池交換が可能になる。
【００１７】
また、携帯機１は防水機能（シール機能の一例）を有している。すなわち、携帯機１は、被圧壁としてのロアケース３及び押圧壁としてのアッパケース２によって挟まれて、ロアケース３とアッパケース２に反力を加えるゴムパッキン１１を備えている。ゴムパッキン１１はシール部材に相当する。このゴムパッキン１１を弾性的に潰す接圧により防水機能を満足させている。ゴムパッキン１１は、ロアケース３の底面との間に基板アセンブリ１０及びボタン電池７の収容部１２を有する有蓋筒状をなし、高さ方向の中央付近に基板アセンブリ１０の支持部１３が内側に向かって突出するように設けられている。また、ゴムパッキン１１は、高さ方向の最上部に天板部１４を備え、その天板部１４を挟んで操作ボタン５とスイッチ６とが対向するように配置されている。これにより、操作ボタン５の操作が天板部１４を介してスイッチ６に伝達され、スイッチ６からの電気信号に基づいて、携帯機１から遠隔操作信号が送信される。
【００１８】
ゴムパッキン１１は、高さ方向の最下部に全周に亘って断面円形状のシール部１５を備えている。このシール部１５が実質的にシール部材として機能する。すなわち、シール部１５がロアケース３（被圧壁）及びアッパケース２（押圧壁）によって挟まれて、ロアケース３とアッパケース２に反力を加える。
【００１９】
ここで、ロアケース３とシール部１５が当接する面が防水面Ｗである。アッパケース２は、防水面Ｗにおいて直交する軸Ｊに対して交差する方向に力をシール部１５に加える部位としての第１の傾斜面１６及び第２の傾斜面１７を有している。第１の傾斜面１６及び第２の傾斜面１７は、軸Ｊを挟んで対称となる位置に設けられるとともに、軸Ｊに向かう方向に力を加える。本例では、軸Ｊと第１の傾斜面１６又は第２の傾斜面１７とのなす角度がいずれも４５°に設定され、すなわち第１の傾斜面１６と第２の傾斜面１７とのなす角度が９０°に設定されている。尚、第１の傾斜面１６と第２の傾斜面１７とのなす角度は９０°に限らず、鋭角或いは鈍角に設定されてもよい。
【００２０】
そして、いずれの角度に設定される場合にも、第１の傾斜面１６とシール部１５の接触部位、第２の傾斜面１７とシール部１５の接触部位、第１の傾斜面１６と第２の傾斜面１７の境界部位による三者間には隙間が形成される。言い換えれば、シール部１５の軸Ｊに沿った部位が、押圧壁であるアッパケース２に触れないことによって、真下への力をシール部１５に加えない構成となっている。ちなみに、軸Ｊは、シール部１５の断面において、中心近傍を通る。尚、中心近傍に関して、好ましくは中心で、近傍でもよい。近傍とは、防水機能を失わない（すなわち封止できる）程度の力を加えられる範囲のことである。
【００２１】
図２に示すように、シール部１５の弾性力に抗してアッパケース２（押圧壁）からシール部１５に力を加えると、シール部１５に反力が生じ、その反力がロアケース３とアッパケース２に加わる。シール部１５からロアケース３への反力が、防水機能に関わる防水面の接圧方向の反力であり、シール部１５からアッパケース２への反力が、アッパケース２とロアケース３との嵌合が外れる方向であるケース嵌合外れ方向の反力である。ケース嵌合外れ方向の反力は、第１の傾斜面１６及び第２の傾斜面１７の双方に加わり、防水面の接圧方向の反力との間で平衡が保たれる。
【００２２】
第１の傾斜面１６（第２の傾斜面１７）への反力は、鉛直方向の分力と水平方向の分力との合力によるベクトルの大きさに等しく、このベクトルの向きが第１の傾斜面１６（第２の傾斜面１７）に直交する方向と一致する。尚、それぞれの分力が破線で示されているとともに、合力が実線で示されている。ケース嵌合外れ方向のベクトルの大きさをＦａとし、そのケース嵌合外れ方向のベクトルの向きと鉛直方向とのなす角度をθとし、２つの傾斜面１６、１７それぞれに加わるケース嵌合外れ方向の反力をＦｃとしたとき、ケース嵌合外れ方向の反力は２×Ｆｃで表される。ＦｃはＦａ×ｃｏｓθで表されるため、ケース嵌合外れ方向の反力（２×Ｆｃ）は２×Ｆａ×ｃｏｓθで表される。ここで、防水面の接圧方向の反力をＦｂとしたとき、そのＦｂは２つのＦａとの間で平衡が保たれるため、ＦａはＦｂ／２で表され、これをケース嵌合外れ方向の反力（２×Ｆａ×ｃｏｓθ）に当て嵌めると、２×（Ｆｂ／２）×ｃｏｓθとなり、整理すると、ケース嵌合外れ方向の反力はＦｂ×ｃｏｓθで表される。
【００２３】
一方、図３に示すように、本例に対する比較例の携帯機３１は、アッパケース２の代わりにアッパケース３２を備えている。アッパケース３２は、第１の傾斜面１６及び第２の傾斜面１７を有しておらず、水平面３２ａにてシール部１５に真下へ力を加える。
【００２４】
この比較例の場合、図４に示すように、ケース嵌合外れ方向の反力は専ら水平面３２ａに加わり、防水面の接圧方向の反力との間で平衡が保たれる。ケース嵌合外れ方向のベクトルの向きが防水面の接圧方向と同一であり、ケース嵌合外れ方向の反力Ｆａと防水面の接圧方向の反力Ｆｂとが釣合うことになる。つまり、この比較例の場合、ケース嵌合外れ方向の反力はＦｂに等しい。
【００２５】
以上説明したように、本実施の形態によれば、以下の作用効果を奏することができる。
（１）防水面Ｗにおいて直交する軸Ｊに沿った方向と、第１の傾斜面１６（第２の傾斜面１７）において直交する方向が異なる。このため、シール部１５からロアケース３への反力（防水機能に関わる反力）と、シール部１５からアッパケース２への反力（ケース嵌合外れに関わる反力）の大きさを、上記軸Ｊに沿った方向で比較すると、アッパケース２への反力の方向が上記軸Ｊに対して交差している分だけ、アッパケース２への反力が小さくなる。つまり、ケース嵌合外れを防止するにあたり、シール機能を下げる必要はなく、また、双方を満足させるためのチューニングの必要もない。したがって、チューニングが不要でシール機能の向上とケース嵌合外れの防止とを両立できる。
【００２６】
（２）第１の傾斜面１６及び第２の傾斜面１７は、上記軸Ｊを挟んで対称となる位置に設けられている。このため、第１の傾斜面１６及び第２の傾斜面１７からシール部１５に力が均等に加わることに伴い、シール部１５から第１の傾斜面１６及び第２の傾斜面１７への反力が均等になる。これにより、第１の傾斜面１６及び第２の傾斜面１７の一方にケース嵌合外れに関わる反力が偏ることを回避できる。
【００２７】
（３）第１の傾斜面１６及び第２の傾斜面１７は共に、上記軸Ｊに向かう方向に力を加える。したがって、第１の傾斜面１６及び第２の傾斜面１７からシール部１５に加わる力を、防水機能に関わるシール部１５からロアケース３への反力として効率良く利用できる。
【００２８】
（４）上記軸Ｊは、シール部１５の断面において、中心近傍を通る。したがって、シール部１５による封止性（防水機能）を好適に得ることができる。
尚、上記実施の形態は、次のように変更して具体化することも可能である。
【００２９】
・上記実施の形態でも触れたが、第１の傾斜面１６と第２の傾斜面１７とのなす角度は９０°或いは鋭角或いは鈍角のいずれに設定されてもよい。
図２を参照して、第１の傾斜面１６と第２の傾斜面１７とのなす角度を９０°に設定する場合、θは４５°になる。この場合、ケース嵌合外れ方向の反力はＦｂ×ｃｏｓ４５°で表され、Ｆｂの約０．７１倍となる。
【００３０】
一方、第１の傾斜面１６と第２の傾斜面１７とのなす角度を鋭角（例えば６０°）に設定する場合、θは６０°になる。この場合、ケース嵌合外れ方向の反力はＦｂ×ｃｏｓ６０°で表され、Ｆｂの０．５０倍となる。
【００３１】
他方、第１の傾斜面１６と第２の傾斜面１７とのなす角度を鈍角（例えば１２０°）に設定する場合、θは３０°になる。この場合、ケース嵌合外れ方向の反力はＦｂ×ｃｏｓ３０°で表され、Ｆｂの約０．８７倍となる。
【００３２】
これらをまとめると、第１の傾斜面１６と第２の傾斜面１７とのなす角度を小さくして、θを大きくする程、ケース嵌合外れ方向のベクトルの向きが水平方向に近付くことになり、ケース嵌合外れ方向の反力をより小さくできる。
【００３３】
・アッパケース２（押圧壁）において、シール部１５に力を加える部位は２つに限らず、３つ以上であってもよい。ただし、その場合も、真下への力をシール部１５に加えない構成とする。
【００３４】
・防水機能に代えて又は加えて防塵機能を有する携帯機に具体化してもよい。
・携帯機に具体化することに限らず、封止構造を備える他のものに具体化してもよい。
【符号の説明】
【００３５】
１…携帯機、２…アッパケース（押圧壁）、３…ロアケース（被圧壁）、４…筐体、５…操作ボタン、６…スイッチ、７…ボタン電池、８…電池ターミナル、９…プリント基板、１０…基板アセンブリ、１１…ゴムパッキン（シール部材）、１２…収容部、１３…支持部、１４…天板部、１５…シール部、１６…第１の傾斜面（部位）、１７…第２の傾斜面（部位）、Ｊ…軸、Ｗ…防水面。
【図１】
2019071223.tif 000003
【図２】
2019071223.tif 000004
【図３】
2019071223.tif 000005
【図４】
2019071223.tif 000006